(57)【要約】【課題】小型で持ち運びやすく、印刷機能と無線による通信機能とを有する電子装置を提供する。【解決手段】記録紙に印刷をするプリンタ部と、電池を収容する電源部と、外部装置と通信を行う無線部と、を有し、前記プリンタ部における印刷情報を無線により取得し、前記プリンタ部において前記記録紙に印刷を行うものであって、外観が円柱状であることを特徴とする電子装置を提供することにより上記課題を解決する。【選択図】  図１
2018167521.tif 000002
【特許請求の範囲】
【請求項１】
記録紙に印刷をするプリンタ部と、
電池を収容する電源部と、
外部装置と通信を行う無線部と、
を有し、
前記プリンタ部における印刷情報を無線により取得し、前記プリンタ部において前記記録紙に印刷を行うものであって、
外観が円柱状であることを特徴とする電子装置。
【請求項２】
前記プリンタ部には、プリンタ機構部が円筒状のプリンタ部内蓋の内部に収納され、
前記プリンタ部内蓋の周囲には、円筒状のプリンタ部外蓋が設けられており、
前記プリンタ部内蓋には、給紙口と排紙口が設けられており、
前記プリンタ部外蓋には、給紙口と排紙口が設けられており、
前記プリンタ部内蓋に対して前記プリンタ部外蓋を回すことができるものであることを特徴とする請求項１に記載の電子装置。
【請求項３】
前記プリンタ部において記録紙に印刷を行う際には、前記プリンタ部内蓋に対して前記プリンタ部外蓋を回し、前記プリンタ部内蓋の給紙口とプリンタ部外蓋の給紙口の位置を一致させ、前記プリンタ部内蓋の排紙口とプリンタ部外蓋の排紙口の位置を一致させることを特徴とする請求項２に記載の電子装置。
【請求項４】
前記プリンタ部と前記電源部との間には、
前記プリンタ部内蓋に接続されたケースに対して回動する電源操作ノブが設けられており、
前記電源操作ノブを回動させることにより、前記ケース内の第１のスイッチを押下することにより、前記プリンタ部への電力の供給の制御を行うことを特徴とする請求項２または３に記載の電子装置。
【請求項５】
前記プリンタ部への電力の供給がオフ状態のままで、更に前記電源操作ノブを回動させることにより、前記ケース内の前記電池に充電を行うための接続端子を露出させることができるものであることを特徴とする請求項４に記載の電子装置。
【発明の詳細な説明】
【技術分野】
【０００１】
本発明は、電子装置に関する。
【背景技術】
【０００２】
従来より、記録紙に印刷等を行うプリンタとして、携帯型のプリンタが存在しているが、このようなプリンタは箱形に形成されており比較的大きく、プリンタを携帯する際にはバッグ等に入れられて持ち運ばれていた。また、携帯機器に内蔵された無線装置で動線管理を行っていた。
【先行技術文献】
【特許文献】
【０００３】
【特許文献１】特開２００３−１９８４５号公報
【発明の概要】
【発明が解決しようとする課題】
【０００４】
箱型のプリンタはバッグ等に入れて持ち運ぶため、箱形のプリンタに無線装置を内蔵した場合はバッグ等を置いたまま行動した場合に操作者の正確な動線管理ができなかった。このため、携帯性の観点からは、プリンタの小型化や、持ち運びやすい常に携帯できる形状のものが求められている。
【課題を解決するための手段】
【０００５】
本実施の形態の一観点によれば、記録紙に印刷をするプリンタ部と、電池を収容する電源部と、外部装置と通信を行う無線部と、を有し、前記プリンタ部における印刷情報を無線により取得し、前記プリンタ部において前記記録紙に印刷を行うものであって、外観が円柱状であることを特徴とする。
【発明の効果】
【０００６】
開示の電子装置によれば、小型で持ち運びやすい、印刷機能と無線による通信機能とを有する電子装置を得ることができる。
【図面の簡単な説明】
【０００７】
【図１】本実施の形態の電子装置の構造図
【図２】本実施の形態の電子装置の電源部の構造図
【図３】本実施の形態の電子装置の説明図（１）
【図４】本実施の形態の電子装置の説明図（２）
【図５】本実施の形態の電子装置の補強リングの説明図
【図６】本実施の形態の電子装置の電源操作ノブの断面図（１）
【図７】本実施の形態の電子装置の電源操作ノブの斜視図（１）
【図８】本実施の形態の電子装置の電源操作ノブの断面図（２）
【図９】本実施の形態の電子装置の電源操作ノブの断面図（３）
【図１０】本実施の形態の電子装置の電源操作ノブの断面図（４）
【図１１】本実施の形態の電子装置の電源操作ノブの斜視図（２）
【図１２】本実施の形態の電子装置のプリンタ部の分解斜視図
【図１３】本実施の形態の電子装置のプリンタ部の断面図
【図１４】本実施の形態の電子装置のプリンタ部の構造の説明図
【図１５】本実施の形態の電子装置のプリンタ部の説明図（１）
【図１６】本実施の形態の電子装置のプリンタ部の説明図（２）
【図１７】本実施の形態の電子装置のプリンタ部の説明図（３）
【図１８】本実施の形態の電子装置のプリンタ部の説明図（４）
【図１９】本実施の形態の電子装置のプリンタ部の第１の状態の説明図（１）
【図２０】本実施の形態の電子装置のプリンタ部の第１の状態の説明図（２）
【図２１】本実施の形態の電子装置のプリンタ部の第１の状態の説明図（３）
【図２２】本実施の形態の電子装置のプリンタ部の第１の状態の説明図（４）
【図２３】本実施の形態の電子装置に記録紙カセットが接続されている説明図
【図２４】本実施の形態の電子装置のプリンタ部の第２の状態の説明図（１）
【図２５】本実施の形態の電子装置のプリンタ部の第２の状態の説明図（２）
【図２６】本実施の形態の電子装置のプリンタ部の第２の状態の説明図（３）
【図２７】本実施の形態の電子装置のプリンタ部の第２の状態の説明図（４）
【図２８】本実施の形態の電子装置のプリンタ部の第２の状態の説明図（５）
【図２９】本実施の形態の電子装置のプリンタ部の第３の状態の説明図（１）
【図３０】本実施の形態の電子装置のプリンタ部の第３の状態の説明図（２）
【図３１】本実施の形態の電子装置のプリンタ部の第３の状態の説明図（３）
【図３２】本実施の形態の電子装置のプリンタ部の第３の状態の説明図（４）
【図３３】本実施の形態の電子装置のプリンタ部の第３の状態の説明図（５）
【図３４】本実施の形態の電子装置のプリンタ部のヘッドアップ爪の説明図
【図３５】本実施の形態の電子装置のプリンタ部のヘッドアップの説明図（１）
【図３６】本実施の形態の電子装置のプリンタ部のヘッドアップの説明図（２）
【図３７】本実施の形態の電子装置のプリンタ部のヘッドアップの説明図（３）
【図３８】本実施の形態の電子装置のセンサの説明図（１）
【図３９】本実施の形態の電子装置のセンサの説明図（２）
【図４０】本実施の形態の電子装置のブロック図
【図４１】本実施の形態の電子装置の光学式センサを説明するための回路図
【発明を実施するための形態】
【０００８】
本発明を実施するための形態について、以下に説明する。尚、同じ部材等については、同一の符号を付して説明を省略する。
【０００９】
本実施の形態による電子装置はプリンタ機能と無線による通信機能とを有しているＩｏＴ（Internet of Things）デバイスである。無線通信はＢＬＥ（Bluetooth Low Energy）等により行われ、印刷情報の伝達以外にも位置情報検出等に用いることができる。
【００１０】
（電子装置の構造）
本実施の形態による電子装置について、図面を用いて説明する。本実施の形態による電子装置１０は、外観が円柱状に形成されており、電源部１００とプリンタ部２００が設けられている。
【００１１】
図３及び図４に示されるように、電源部１００とプリンタ部２００とは接続部１５０により接続されている。接続部１５０はその軸を中心に折り曲げることができる。また、接続部１５０の内部にはヒンジバネが設けられている。尚、図３は充電器のＵＳＢプラグ７００を接続して充電している状態を示している。尚、接続部１５０の内部に設けられたヒンジバネは、図３等に示すように折り曲げられた状態において簡易的に位置決めを行うことができる。
【００１２】
電源部１００には、図２に示されるように、円柱状の筐体１０１の中に充電池であるリチウムイオン電池１１０が入れられている。リチウムイオン電池１１０の正極は接続部１５０側に設けられた正極端子１１１と接続されており、負極はバネ性を有する負極端子１１２に接触している。負極端子１１２は、筐体１０１の導電性を有する内壁を介してプリンタ部２００側に設けられた回路と接続されている。電源部１００とプリンタ部２００とが連結されている部分の内部では、正極端子１１１からの配線等と負極端子１１２からの配線等とは絶縁されている。
【００１３】
本実施の形態では、図１に示すように、電源部１００とプリンタ部２００とが直線状に並んでいる状態を保持するために、接続部１５０が折れないようにする円筒状のリング１６０が設けられている。リング１６０は電源部１００側に設けられており、その側面には、図４等に示されるようにコの字状の溝部１６１が設けられている。溝部１６１は、リング１６０の円周方向に沿って形成されている第１の横溝１６１ａ及び第２の横溝１６１ｂと、第１の横溝１６１ａと第２の横溝１６１ｂとを連結する連結溝１６１ｃを有する。第１の横溝１６１ａは、リング１６０のプリンタ部２００側に設けられており、第２の横溝１６１ｂは第１の横溝１６１ａよりもプリンタ部２００から離れた側に設けられている。また、筐体１０１の外側には溝部１６１に入る突起１０２が設けられている。
【００１４】
図４に示されるように、電源部１００とプリンタ部２００とを接続部１５０で折り曲げる場合、リング１６０は電源部１００とプリンタ部２００との接続位置よりも電源部１００側に位置しており、突起１０２は第１の横溝１６１ａ内に位置している。この状態より、接続部１５０を折り曲げて、図５（ａ）に示すように電源部１００とプリンタ部２００とが直線状にして、リング１６０を図５（ａ）図示右側に回し、突起１０２が第１の横溝１６１ａと連結溝１６１ｃと交点に位置させた後、リング１６０を図示上方、プリンタ部２００側に、突起１０２が連結溝１６１ｃ内を移動して第２の横溝１６１ｂと連結溝１６１ｃとの交点に来るまで動かす。この状態では、電源部１００とプリンタ部２００との接続部分がリング１６０により覆われるため、電源部１００とプリンタ部２００とが接続部１５０において曲げられることはない。この後、リング１６０を図示左側に回して突起１０２が第２の横溝１６１ｂの奥に入るようにすることにより、図５（ｂ）に示すように、電源部１００とプリンタ部２００とが直線状となっている状態が維持される。これにより、電子装置を持ち運ぶ際に接続部１５０の位置で電子装置が曲がることはない。
【００１５】
電子装置は、直径が約１６ｍｍ、長さは約１７６ｍｍと小型であり、持ち運びが容易である。電子装置は、ストレス等を伴うことなく持ち運びができるよう、直径が２０ｍｍ以下、長さは２００ｍｍ以下であることが好ましい。また、電子装置のプリンタ部２００側にはフック２９０が設けられており、ペンと同様に衣服の胸のポケット等にさした状態で持ち運ぶことが可能である。
【００１６】
（電源操作）
電子装置における電源のオンオフ操作について、図６〜図１１に基づき説明する。プリンタ部２００の電源部１００側には電源操作用のノブ３００が設けられており、ノブ３００を回転させることにより電源のオンオフを含む４つの状態にプリンタ部２００を切り替えることができる。本実施の形態における４つの状態は、電源オン状態、電源オフ状態（待機状態）、充電状態、ＡＣアダプタからの給電を行う状態である。ノブ３００は、後述するプリンタ部２００の内蓋２５０に接続されているケース３１０の周囲を回動するように取り付けられている。
【００１７】
図６及び図７に示されるように、ノブ３００はケース３１０の外側を覆い操作される外側部３０１、ケース３１０の内側に位置する内側部３０２、外側部３０１と内側部３０２とを接続する接続部３０３、内側部３０２の先端に設けられた押下部３０４を有している。ケース３１０には接続部３０３が入る開口部３１１が設けられており、ノブ３００はケース３１０の外側に沿って回動できる。ノブ３００は、外側部３０１と内側部３０２との間にケース３１０を挟んだ状態でケース３１０に取り付けられている。
【００１８】
ケース３１０の内側には、第１のスイッチ３２１、第２のスイッチ３２２、ＵＳＢコネクタ３３０が取り付けられた基板３４０が設けられている。更に、後述するように、ケース３１０には、ＵＳＢコネクタ３３０を外部のＵＳＢプラグと接続するための接続開口部３１２が設けられている。
【００１９】
図６及び図７は、プリンタ部２００の電源がオンとなっている状態を示している。この状態では、第１のスイッチ３２１のアーム３２１ａがノブ３００の内側部３０２の先端に設けられた押下部３０４により押されている。第１のスイッチ３２１はノーマルクローズのスイッチであり、アーム３２１ａが押下部３０４により押されている状態ではオープンとなる。この状態では、接続開口部３１２はノブ３００の外側部３０１により塞がれているため、ＵＳＢプラグをＵＳＢコネクタ３３０に接続することはできない。
【００２０】
次に、図８に示すように、ケース３１０に対しノブ３００を反時計回りに回転させる。これにより、押下部３０４がアーム３２１ａから離れ、プリンタ部２００の電源がオフとなる。この状態でも、接続開口部３１２はノブ３００の外側部３０１に塞がれている。
【００２１】
図９に示すように、ケース３１０に対しノブ３００を反時計回りに更に回転させることにより、接続開口部３１２が露出する。この状態では、押下部３０４はアーム３２１ａを押していないためプリンタ部２００の電源はオフのままであるが、接続開口部３１２が露出するため、図３に示されるように接続開口部３１２からＵＳＢコネクタ３３０に充電器のＵＳＢプラグ７００を接続することができ、リチウムイオン電池１１０に充電をすることができる。また、図９の状態では、押下部３０４により第２のスイッチ３２２のアーム３２２ａは押されてはいない。図９に示される状態においては、尚、図９に示される状態においては、プリンタ部・無線通信機能への給電は停止されている。
【００２２】
図１０及び図１１に示すように、ケース３１０に対しノブ３００を更に反時計回りに回転させることにより、接続開口部３１２が露出している状態のまま押下部３０４により第２のスイッチのアーム３２２ａが押される。この状態においては、ＵＳＢコネクタ３３０に接続された不図示のＡＣアダプタより電力を供給することができる。このとき、プリンタ部２００の電源はオフ状態にあるが、通信機能はオン状態となっており、ＡＣアダプタにより電力を供給することにより通信機能を継続させることが出来る。この際、充電回路は停止する。センサ機能を有するＩｏＴデバイスとして電子装置を設置する場合は、長期間電子装置を使用する必要があるため、図１０の状態としてＡＣアダプタから電力を供給する形態で電子装置を用いることが好ましい。尚、第２のスイッチ３２２はノーマルクローズのスイッチであり、アーム３２２ａが押下部３０４により押されている状態ではオープンとなる。第１のスイッチ３２１及び第２のスイッチ３２２にノーマルクローズスイッチが用いられている理由は、ノーマルオープンスイッチでは、長期間使用していないと接点部分が腐食してオンできなくなるおそれがあるため、このようなことを避けるためである。
【００２３】
本実施の形態においては、図６及び図７に示す電源オン状態、図８に示す電源オフ状態では、接続開口部３１２はノブ３００の外側部３０１により塞がれているため、電子装置の内部に接続開口部３１２より異物が入り込むことはない。
【００２４】
本実施の形態では、第１のスイッチ３２１がオフとなった状態で、ＵＳＢプラグ７００が接続可能となり、充電時には電源オフ、電源オン時には充電不可という２つの状態分離を機構的に実現することができる。
【００２５】
（プリンタ部）
次に、プリンタ部２００について説明する。プリンタ部２００は、図１２〜図１４に示されるように、プリンタ機構部２１０、ギア部２２０、モータ２３０、ギアボックスの上蓋２４１、ギアボックスの下蓋２４２、内蓋２５０、外蓋２６０を有している。図１２はプリンタ部２００の分解斜視図である。図１３はプリンタ部２００の長手方向に垂直な断面図であり、図１４（ａ）はプリンタ部２００の長手方向における断面斜視図であり、図１４（ｂ）は長手方向における断面図である、
プリンタ機構部２１０は、サーマルヘッド等の印刷ヘッド２１１、プラテンローラ２１２、給紙ローラ２１３、記録紙ガイド２１４、加圧バネ２１５、制御基板２１６を有している。印刷ヘッド２１１は加圧バネ２１５のバネ力によりプラテンローラ２１２側に押されている。記録紙は微粘着性のローラである給紙ローラ２１３が設けられている側から、記録紙ガイド２１４に沿って入り、印刷ヘッド２１１とプラテンローラ２１２との間で挟まれた状態で、プラテンローラ２１２の回転により搬送されながら、印刷ヘッド２１１により印刷がなされて排紙される。制御基板２１６には、プリンタ部２００の制御を行う電子回路や電子部品が搭載されている。尚、プリンタ部２００の内部で記録紙がジャム状態になることを防ぐため、給紙ローラ２１３の回転はプラテンローラ２１２の回転よりも遅くなっている。このため給紙ローラ２１３は、ワンウェイクラッチ機構を有していてもよく、このワンウェイクラッチにより、次に記録紙が印刷ヘッド２１１とプラテンローラ２１２との間にはいると、プラテンローラ２１２の回転速度で記録紙が搬送されるが、この時、給紙ローラ２１３はワンウェイクラッチ機能により空転し、印字品質への影響は回避される。記録紙が印刷ヘッド２１１とプラテンローラ２１２との間に噛みこまれた場合には、記録紙はプラテンローラ２１２の搬送速度で送られるが、給紙ローラ２１３は搬送速度が遅いため、プラテンローラ２１２に引っ張られて空転することにより、印刷品位への影響を回避することができる。
【００２６】
図１２に示すように、プリンタ機構部２１０、ギア部２２０、モータ２３０は円筒ケースに対し同軸となるように配置・接続されている。モータ２３０が回転することにより、モータ２３０の回転がギア部２２０を介しプラテンローラ２１２に伝達され、プラテンローラ２１２が回転する。プリンタ機構部２１０とモータ２３０との間にギア部２２０を設けることにより、プリンタ機構部２１０、ギア部２２０、モータ２３０を同軸となるように接続することができる。
【００２７】
尚、無線通信を行うためのアンテナ２０１は、図１２に示されるように、制御基板２１６の、外蓋開閉ノブ２７０の内側に形成されている。ギアボックス部を樹脂材料によりカバーし、この部分にアンテナを実装することにより、電波指向性を制御することができる。また、加圧バネ２１５の反発力を同心円の内蓋２５０内にプリンタ機構部２１０を収納した場合の位置決めとして活用することも可能である。
【００２８】
内蓋２５０及び外蓋２６０は円筒状であり、外蓋２６０の内側に内蓋２５０が入るように形成されている。内蓋２５０には、その母線に沿って開口している給紙口２５１及び排紙口２５２が設けられており、外蓋２６０にはその母線に沿って開口している給紙口２６１及び排紙口２６２が設けられている。
【００２９】
図１５に示されるように、プリンタ部２００のギア部２２０の周囲には、ギア部２２０を覆うように樹脂材料等により形成された上蓋２４１及び下蓋２４２が取り付けられている。上蓋２４１及び下蓋２４２が取り付けられているプリンタ機構部２１０とギア部２２０とモータ２３０とが接続ユニットが、図１６に示されるように内蓋２５０内に入れられ、更に、図１７に示されるように内蓋２５０は外蓋２６０内に入れられる。そして、図１８に示すように、モータ２３０の側に、外蓋開閉ノブ２７０とフック２９０が取り付けられる。フック２９０は内蓋２５０と接続されており、外蓋開閉ノブ２７０は外蓋２６０と接続されている。尚、図１６では、便宜上、モータ２３０は省略されている。
【００３０】
プリンタ部２００では、外蓋開閉ノブ２７０を回動させることにより、内蓋２５０に対し外蓋２６０を回動させることができ、これによりプリンタ部２００を３つの動作モード間で切り替えることができる。３つの動作モードの切り替えについて、図１９〜図３３に基づき説明する。
【００３１】
図１９等に示されるように、フック２９０の外蓋開閉ノブ２７０の側には凹部２９１が設けられており、外蓋開閉ノブ２７０には凹部２９１に対応した３つの凹部２７１、２７２、２７３が設けられており、フック２９０に設けられた凹部２９１を外蓋開閉ノブ２７０に設けられた各々の動作モードに対応する凹部２７１、２７２、２７３に合わせることで、動作モードの切り替え操作を行うことが出来る。尚、電子装置には、これらの３つの動作モードを検知するためのセンサを設けてもよい。
【００３２】
図１９〜図２２、図１３は、プリンタ部２００が第１の状態である印刷モードにある場合を示している。印刷モード時には、プリンタ部２００を用いた印刷が可能となる。図１９及び図２０は印刷モードの電子装置の斜視図であり、図２１はプリンタ部２００の給紙側、図２２は排紙側をそれぞれ示す。尚、図１３は図２２における一点鎖線２２Ａ−２２Ｂにおいて切断した断面図である。図１３にも示されるように、この状態では、内蓋２５０の給紙口２５１と外蓋２６０の給紙口２６１の位置が一致しており開いており、内蓋２５０の排紙口２５２と外蓋２６０の排紙口２６２の位置が一致しており開いている。また、凹部２９１は凹部２７１の位置にある。
【００３３】
開いている給紙口２５１及び給紙口２６１より記録紙をプリンタ部２００の内部に入れ、開いている排紙口２５２及び排紙口２６２より記録紙が排紙される。
【００３４】
プリンタ部２００で印刷を行う際には、印刷データがスマートフォン等から電子装置にＢＬＥ等の無線通信により送信される。電子装置はアンテナを介して印刷データを受信し、プリンタ部２００で印刷が行われる。
【００３５】
電子装置が印刷モードにある場合には、給紙口２５１、２６１が開放しており、図２３に示されるように、記録紙が収納された記録紙カセット４００を給紙口２６１に接続することが可能である。図２３は給紙口２６１に記録紙カセット４００が接続されている状態の斜視図である。給紙ローラ２１３は、記録紙カセット４００に収納された記録紙に圧接され、記録紙を給紙口からプラテンローラに向けて給紙する。
【００３６】
図２４〜図２８は、プリンタ部２００が第２の状態である待機モードにある場合を示している。待機モードは印刷を待機する動作モードであり、プリンタ部２００の電源はオフとなっている。図２４及び図２５は待機モードの電子装置の斜視図であり、図２６はプリンタ部２００の給紙側、図２７は排紙側を示す。また、図２８は図２７における一点鎖線２７Ａ−２７Ｂにおいて切断した断面図である。給紙口２５１、２６１の方が排紙口２５２、２６２よりも大きいため、図２８の状態では、給紙口２５１と給紙口２６１の位置は一致しており開いているが、排紙口２５２と排紙口２６２の位置が一致しておらず閉じられている。また、凹部２９１は凹部２７２の位置にある。
【００３７】
この状態においては、プリンタ部２００では印刷は行われないが、給紙口２５１と給紙口２６１の位置は一致しており、記録紙カセット４００を給紙口２６１に接続できる。そのため、記録紙カセット４００が給紙口２６１に接続されている状態のまま、電子装置を持ち運ぶことが可能である。
【００３８】
図２９〜図３３は、プリンタ部２００が第３の状態であるＢＬＥ等による通信が可能な通信モードにある場合を示している。図２９及び図３０は通信モードの電子装置の斜視図であり、図３１はプリンタ部２００の給紙側、図３２は排紙側を示す。また、図３３は図３２における一点鎖線３２Ａ−３２Ｂにおいて切断した断面図である。この状態では、給紙口２５１と給紙口２６１の位置は一致しておらず閉じられており、排紙口２５２と排紙口２６２の位置も一致しておらず閉じられている。また、凹部２９１は凹部２７２の位置にある。
【００３９】
この状態では、電子装置では印刷動作は行われず、記録紙カセット４００は取り外されている。そのため、電子装置をペン等と同様に衣服の胸のポケット等にさした状態で持ち運ぶことが可能である。外蓋２６０に設けられた給紙口２６１や排紙口２６２などの穴が見えると美的観点からは好ましくない。このため、図２９の状態では、排紙口２６２をフック２９０で覆い、排紙口２６２が外部から見えにくく、見栄えがよくなるようにしている。尚、給紙口２６１はフック２９０に覆われていないが、プリンタ部２００では、給紙口２６１は排紙口２６２の略反対側に設けられているため、フック２９０を胸のポケットにさした場合には、給紙口２６１は見えにくく、見栄えに影響を与えることはない。
【００４０】
図３４に示すように、プリンタ部２００には、記録紙がプリンタ部２００の内部でジャム状態となった場合に対応するためのヘッドアップ爪２１７が排紙口２５２の母線方向の両側近傍に設けられている。ヘッドアップ爪２１７は、内蓋２５０の内部に設けられており、一部が排紙口２５２から出ている。図３５〜図３７は、図３４の一点鎖線３４Ａ−３４Ｂにおいて切断した断面に相当する。
【００４１】
記録紙がプリンタ部２００内でジャム状態となった場合、印刷モードの状態より外蓋２６０を図中時計回りに回転させることにより、図３５に示すように排紙口２６２の端部２６２ａを排紙口２５２より出ているヘッドアップ爪２１７の当接部２１７ａに接触させ、更に外蓋２６０を図中時計回りに回転させる。これにより、図３６に示すように、排紙口２６２の端部２６２ａにより排紙口２５２より出ている当接部２１７ａが押され、プラテンローラ２１２に取り付けられているヘッドアップ爪２１７が、プラテンローラ２１２の回転軸を中心に図中時計回りに回動し、印刷ヘッド２１１が取り付けられている放熱プレート２１８を押し上げる。これにより、印刷ヘッド２１１とプラテンローラ２１２とを離すことができ記録紙を取り除くことができる。記録紙を取り除いた後は、図３７に示すように外蓋２６０を図中反時計回りに回動させる。これにより、ヘッドアップ爪２１７の排紙口２５２より出ている部分が外蓋２６０の内壁と接触し、ヘッドアップ爪２１７は図中反時計回りに回動して外蓋２６０の内側に収納され、印刷モードに戻る。
【００４２】
また、図３８に示すように、プリンタ部２００の給紙口側には、プリンタ部２００の内部に記録紙が存在しているか否かを判別する給紙センサ２８１が設けられている。図３８（ａ）はプリンタ部２００を示すものであり、図３８（ｂ）は図３８（ａ）における一点鎖線３８Ａ−３８Ｂにおいて切断した断面図である。給紙センサ２８１は記録紙ガイド２１４の給紙ローラ２１３と向かい合った位置に設けられており、この位置を通過する記録紙を検知する。図示は省略したが、排出される用紙を検出する排紙センサを排紙側に同様に設けてもよい。
【００４３】
また、プリンタ部２００のアンテナ近傍にはセンサ２８４が設けられている。このセンサ２８４により、図３９に示すように外蓋開閉ノブ２７０の位置を検出することができる。図３９（ａ）はプリンタ部２００を示し、図３９（ｂ）、（ｃ）、（ｄ）は図３９（ａ）における一点鎖線３９Ａ−３９Ｂにおいて切断した断面図である。外蓋開閉ノブ２７０の内側には突起２７４が設けられており、センサ２８４により突起２７４の位置を検出することにより、図３９（ｂ）に示される印刷モードにあるか、それ以外の図３９（ｃ）に示される待機モードあるいは図３９（ｄ）に示される通信モードにあるかを検出することができる。尚、図３９（ｃ）に示される待機モードにおいても通信可能である。センサ２８４は反射型の光学式センサであり、突起２７４からの反射光を検出することにより、図３９（ｂ）に示す状態にあるか、これ以外の図３９（ｃ）、（ｄ）に示す状態にあるかを検出することができる。
【００４４】
（機能ブロック）
次に、電子装置の機能について、図４０に示すブロック図に基づき説明する。電子装置は、電源ブロック３０、制御ブロック５０、プリンタブロック２０を有する。
【００４５】
電源ブロック３０は、リチウムイオン電池１１０、第１のスイッチ３２１、第２のスイッチ３２２、ＵＳＢコネクタ３３０、充電回路３５１、ＡＣ給電回路３５２、電圧切替回路３５３を有している。
【００４６】
制御ブロック５０は、制御コア５１０、モータ駆動回路５１１、電圧検出回路／ヒューズカット回路５１２、印刷ヘッド駆動回路５１３、電源ゲート回路５１４、リトリガータイマー５１５、温度検出回路５１６、第１のセンサ回路５１７、第２のセンサ回路５１８、第３のセンサ回路５１９、無線回路５２０、アンテナ２０１、リセット回路５２３を有している。
【００４７】
プリンタブロック２０は、印刷ヘッド２１１、モータ２３０、給紙センサ２８１、カセットセンサ２８２、モードセンサ２８３を有している。
【００４８】
ＵＳＢコネクタ３３０は充電回路３５１及びＡＣ給電回路３５２に接続されている。充電回路３５１は、第１のスイッチ３２１のオンオフ動作により制御され、電源ブロック３０内の電圧切替回路３５３及び制御ブロック５０の制御コア５１０に接続されている。ＡＣ給電回路３５２は、第２のスイッチ３２２のオンオフ動作により制御され、電圧切替回路３５３に接続されている。電圧切替回路３５３は、制御ブロック５０の制御コア５１０に接続されている。
【００４９】
電圧切替回路３５３は、リチウムイオン電池により生成される制御ブロックへの供給電源と、ＡＣアダプタ給電モードによる供給電源の排他的な切替を行うものである。
【００５０】
制御コア５１０は、モータ駆動回路５１１、電源ゲート回路５１４、リトリガータイマー５１５、温度検出回路５１６、第１のセンサ回路５１７、第２のセンサ回路５１８、第３のセンサ回路５１９、無線回路５２０、リセット回路５２３に接続されている。
【００５１】
モータ駆動回路５１１は、プリンタブロック２０のモータ２３０と接続されており、モータ２３０の回転を制御する。電圧検出回路／ヒューズカット回路５１２は、異常電圧の検出及び熱暴走等の異常時に直列に接続されたヒューズを強制的に切断し、安全性を保障するものであり、制御コア５１０とモータ駆動回路５１１との間、モータ駆動回路５１１、モータ２３０に接続されている。
【００５２】
電源ゲート回路５１４は印刷ヘッド駆動回路５１３と接続されており、印刷ヘッド駆動回路５１３はプリンタブロック２０の印刷ヘッド２１１に接続されている。印刷ヘッド駆動回路５１３は、印刷ヘッド２１１による印刷を行うために印刷ヘッド２１１の駆動及び制御を行う。
【００５３】
電源ゲート回路５１４は、印刷待機時に印刷ヘッド２１１への給電をカットするものであり、電蝕現象によるヘッドの破壊を防止するものである。
【００５４】
リトリガータイマー５１５は、電源ゲート回路５１４に接続されており、ＣＰＵ暴走等によるヘッド破壊の防止を行うものである。
【００５５】
温度検出回路５１６は印刷ヘッド２１１に接続されており、印刷ヘッド２１１に設けられた不図示の温度センサからの情報に基づき温度を検出し、検出された温度の情報を制御コア５１０に送る。
【００５６】
給紙センサ２８１は、プリンタ部２００内の記録紙の有無を検出するためのものであり、図３８に示されるように、プリンタ部２００の内部に設けられている。給紙センサ２８１で検出された情報は、第１のセンサ回路５１７を介し、制御コア５１０に入力される。
【００５７】
カセットセンサ２８２は、用紙カセットを検出するためのものであり、プリンタ機構部２１０に設けられている。カセットセンサ２８２で検出された情報は、第２のセンサ回路５１８を介し、制御コア５１０に入力される。
【００５８】
モードセンサ２８３は、用紙窓開閉状態からプリンタ部２００の動作モードを検出するためのものであり、図３９のセンサ２８４に設けられている。モードセンサ２８３において検出された情報は、第３のセンサ回路５１９を介し、制御コア５１０に入力される。
【００５９】
無線回路５２０はアンテナ２０１と接続されており、アンテナ２０１が無線通信による情報を受信した場合には、その情報が無線回路５２０を介し制御コア５１０に入力され、また、制御コア５１０から無線回路５２０を介しアンテナ２０１より無線による通信の情報を送信することができる。
【００６０】
リセット回路５２３は、電源オンオフ時において制御コアをリセットし、制御コアの確実な立ち上げを行うためのものである。
【００６１】
（電源電圧とセンサ）
次に、給紙センサ２８１について説明する。本実施の形態における給紙センサ２８１は光学式センサであり、この説明では、図４１に基づき光学式センサ６１０として説明する。
【００６２】
光学式センサ６１０は、発光ダイオード６１１を備えた発光部と、受光すると電流が流れるフォトトランジスタ６１２を備えた受光部とを有している。光学式センサ６１０では、記録紙が存在している場合には、発光ダイオード６１１からの光が記録紙で反射されフォトトランジスタ６１２に入射するため、記録紙が検出される。一方、記録紙が存在していない場合には、発光ダイオード６１１により発せられた光は反射されることはなくフォトトランジスタ６１２に入射しないため、記録紙は検出されない。
【００６３】
図４１に示すように、光学式センサ６１０には、ツェナーダイオードや抵抗が接続された回路が形成されており、この回路には電源電圧Ｖｄｄが印加されている。
【００６４】
図４１の回路では、ツェナーダイオード６２０と第１の抵抗６３１とが直列に接続されている。具体的には、ツェナーダイオード６２０のカソードと第１の抵抗６３１とが接続されており、ツェナーダイオード６２０のアノードは接地されており、第１の抵抗６３１の他方の端子には電源電圧Ｖｄｄが印加されている。ツェナーダイオード６２０のカソードと第１の抵抗６３１の一方の端子との接続部分は、発光ダイオード６１１のアノードに接続されている。発光ダイオード６１１のカソードには、第２の抵抗６３２が接続されており、第２の抵抗６３２の他方の端子は接地されている。
【００６５】
また、第３の抵抗６３３と第４の抵抗６３４とが直列に接続されており、第３の抵抗６３３の他方の端子には電源電圧Ｖｄｄが印加され、第４の抵抗６３４の他方の端子は接地されている。フォトトランジスタ６１２のコレクタには電源電圧Ｖｄｄが印加されており、フォトトランジスタ６１２のエミッタは第３の抵抗６３３と第４の抵抗６３４との間に接続されている。この回路において、第３の抵抗６３３と第４の抵抗６３４との接続部分における電位を検出することにより、記録紙の有無が判断される。
【００６６】
ツェナーダイオード６２０のツェナー電圧は例えば２Ｖであり、フォトトランジスタ６１２のエミッタ−コレクタ間の電位差ΔＶは、０．６Ｖであり、第１の抵抗６３１の抵抗値をＲ１、第２の抵抗６３２の抵抗値をＲ２、第３の抵抗６３３の抵抗値をＲ３、第４の抵抗６３４の抵抗値をＲ４とする。
【００６７】
尚、電子装置をリチウムイオン電池１１０により駆動する場合には、電源電圧Ｖｄｄとして３Ｖの電圧が印加され、ＡＣ給電回路３５２を介し給電されている場合には、電源電圧Ｖｄｄとして例えば５．５Ｖの電圧が印加される。本実施の形態においては、ツェナー電圧が２Ｖのツェナーダイオード６２０を用いることにより、電源電圧Ｖｄｄが３Ｖと５．５Ｖと変化しても、発光ダイオード６１１に所定の電流量の電流を流すことができ、発光ダイオード６１１より発せられる光の光量が変化することはない。
【００６８】
記録紙が存在している場合、記録紙において反射された光がフォトトランジスタ６１２に入射し、電流が流れる。この場合、電流はフォトトランジスタ６１２、第４の抵抗６３４を直列に流れ、第３の抵抗６３３と第４の抵抗６３４との接続部分における検出電位は、Ｖｄｄ−０．６Ｖとなる。
【００６９】
また、記録紙が存在していない場合、発光ダイオード６１１からの光はフォトトランジスタ６１２には入射することはなく、電流は流れない。この場合、電流は直列に接続されている第３の抵抗６３３と第４の抵抗６３４を流れ、第３の抵抗６３３と第４の抵抗６３４との接続部分における電位は、電源電圧Ｖｄｄを第３の抵抗６３３の抵抗値Ｒ３と第４の抵抗６３４の抵抗値Ｒ４により抵抗分割した値、即ち、（Ｖｄｄ×Ｒ４）／（Ｒ３＋Ｒ４）となる。
【００７０】
従って、発光ダイオード６１１とフォトトランジスタ６１２との間に記録紙が存在しているか否かは、Ｖｄｄ−０．６Ｖと（Ｖｄｄ×Ｒ４）／（Ｒ３＋Ｒ４）との間に電圧の閾値を設け、第３の抵抗６３３と第４の抵抗６３４との接続部分における検出電位が、この閾値よりも高いか否かにより判断することができる。
【００７１】
ところで、上記のように、電源の給電の仕方により、電源電圧Ｖｄｄが５．５Ｖと３Ｖとで変化すると、電源電圧Ｖｄｄの変化に伴い検出電位も変動する。このように、電源電圧Ｖｄｄが変化すると、記録紙の検出を正確に行うことができない場合があるが、本実施の形態における電子装置では、各々の抵抗を所定の抵抗値に設定することにより、このような問題は解消される。
【００７２】
例えば、第３の抵抗６３３の抵抗値Ｒ３を１０ｋΩとし、第４の抵抗６３４の抵抗値Ｒ４を２０ｋΩとした場合には、表１に示されるように、電源電圧Ｖｄｄが５．５Ｖでは記録紙がある場合には、検出電位は、５．５Ｖ−０．６Ｖ＝４．９Ｖとなり、記録紙がない場合には、（５．５Ｖ×２０ｋΩ）／（１０ｋΩ＋２０ｋΩ）＝３．７Ｖとなる。また、電源電圧Ｖｄｄが３．０Ｖでは記録紙がある場合には、検出電位は、３．０Ｖ−０．６Ｖ＝２．４Ｖとなり、記録紙がない場合には、（３．０Ｖ×２０ｋΩ）／（１０ｋΩ＋２０ｋΩ）＝２．０Ｖとなる。
【００７３】
【表１】
2018167521.tif 000003
従って、２．４Ｖと３．７Ｖとの間に例えば３．０Ｖの第１のしきい値電圧を設定し、検出電位が第１のしきい値電圧よりも高い場合は電源電圧Ｖｄｄは５．５Ｖと判断し、第１のしきい値電圧よりも低い場合は電源電圧Ｖｄｄは３．０Ｖと判断する。
【００７４】
更に、第２のしきい値電圧を設け、電源電圧Ｖｄｄが５．５Ｖと判断された場合に、検出電位が第２のしきい値電圧よりも高い場合は記録紙があるものと判断し、第２のしきい値電圧よりも低い場合は記録紙がないものと判断する。第２のしきい値電圧は、例えば４．３Ｖに設定する。
【００７５】
また、第３のしきい値電圧を設け、電源電圧Ｖｄｄは３．０Ｖと判断された場合、検出電位が第３のしきい値電圧よりも高い場合は記録紙があるものと判断し、第３のしきい値電圧よりも低い場合は記録紙がないものと判断する。この第３のしきい値電圧は、例えば２．２Ｖに設定する。
【００７６】
また、第３の抵抗６３３の抵抗値Ｒ３を１０ｋΩとし、第４の抵抗６３４の抵抗値Ｒ４を１５ｋΩとした場合には、表２に示されるように、電源電圧Ｖｄｄが５．５Ｖでは、記録紙がある場合には検出電位は５．５Ｖ−０．６Ｖ＝４．９Ｖとなり、記録紙がない場合には（５．５Ｖ×１５ｋΩ）／（１０ｋΩ＋１５ｋΩ）＝３．３Ｖとなる。また、電源電圧Ｖｄｄが３．０Ｖでは、記録紙がある場合には検出電位は３．０Ｖ−０．６Ｖ＝２．４Ｖとなり、記録紙がない場合には（３．０Ｖ×１５ｋΩ）／（１０ｋΩ＋１５ｋΩ）＝１．８Ｖとなる。
【００７７】
【表２】
2018167521.tif 000004
従って、２．４Ｖと３．３Ｖとの間に、例えば２．８Ｖの第１のしきい値電圧を設け、検出電位が第１のしきい値電圧よりも高い場合は電源電圧Ｖｄｄは５．５Ｖと判断し、第１のしきい値電圧よりも低い場合は電源電圧Ｖｄｄは３．０Ｖと判断する。
【００７８】
更に、第２のしきい値電圧を設け、電源電圧Ｖｄｄは５．５Ｖと判断された場合には、検出電位が、この第２のしきい値電圧よりも高い場合は、記録紙があるものと判断し、第２のしきい値電圧よりも低い場合は、記録紙がないものと判断する。この第２のしきい値電圧は、例えば、４．１Ｖに設定する。また、第３のしきい値電圧を設け、電源電圧Ｖｄｄは３．０Ｖと判断された場合には、検出電位が、この第３のしきい値電圧よりも高い場合は、記録紙があるものと判断し、第３のしきい値電圧よりも低い場合は、記録紙がないものと判断する。この第３のしきい値電圧は、例えば、２．１Ｖに設定する。
【００７９】
従って、Ｖｄｄのうち上記における５．５Ｖに相当する電圧を高い電圧ＶｄｄＨとし、上記における３．０Ｖに相当する電圧を低い電圧ＶｄｄＬとした場合に、ＶｄｄＬ−ΔＶ＜（ＶｄｄＨ×Ｒ４）／（Ｒ３＋Ｒ４）の関係にある。ＶｄｄＨを５．５Ｖ、ＶｄｄＬを３．０Ｖ、ΔＶを０．６Ｖとすると、３．０−０．６＜（５．５×Ｒ４）／（Ｒ３＋Ｒ４）となり、Ｒ３＜（３．１／２．４）×Ｒ４の関係にある。
【００８０】
また、第３の抵抗６３３の抵抗値Ｒ３を２０ｋΩとし、第４の抵抗６３４の抵抗値Ｒ４を１０ｋΩとした場合には、表３に示されるように、電源電圧Ｖｄｄが５．５Ｖでは記録紙がある場合には、検出電位は、５．５Ｖ−０．６Ｖ＝４．９Ｖとなり、記録紙がない場合には、（５．５Ｖ×２０ｋΩ）／（１０ｋΩ＋２０ｋΩ）＝３．７Ｖとなる。また、電源電圧Ｖｄｄが３．０Ｖでは記録紙がある場合には、検出電位は、３．０Ｖ−０．６Ｖ＝２．４Ｖとなり、記録紙がない場合には、（３．０Ｖ×２０ｋΩ）／（１０ｋΩ＋２０ｋΩ）＝２．０Ｖとなる。
【００８１】
【表３】
2018167521.tif 000005
従って、２．４Ｖと３．７Ｖとの間に、例えば３．１Ｖの第１のしきい値電圧を設け、検出電位が第１のしきい値電圧よりも高い場合は電源電圧Ｖｄｄは５．５Ｖと判断し、第１のしきい値電圧よりも低い場合は電源電圧Ｖｄｄは３．０Ｖと判断する。
【００８２】
更に、第２のしきい値電圧を設け、電源電圧Ｖｄｄは５．５Ｖと判断された場合には、検出電位が、この第２のしきい値電圧よりも高い場合は、記録紙があるものと判断し、第２のしきい値電圧よりも低い場合は、記録紙がないものと判断する。この第２のしきい値電圧は、例えば、４．３Ｖに設定する。また、第３のしきい値電圧を設け、電源電圧Ｖｄｄは３．０Ｖと判断された場合には、検出電位が、この第３のしきい値電圧よりも高い場合は、記録紙があるものと判断し、第３のしきい値電圧よりも低い場合は、記録紙がないものと判断する。この第３のしきい値電圧は、例えば、２．２Ｖに設定する。
【００８３】
即ち、本実施の形態における電子装置においては、電池駆動時は３．０Ｖ、ＡＣアダプタ駆動時は５．５Ｖと、意図的に電圧に差を設けており、これにより、検出された電位に基づき電子装置が電池駆動であるか、ＡＣアダプタ駆動であるかを判断することができる。
【００８４】
以上、本発明の実施に係る形態について説明したが、上記内容は、発明の内容を限定するものではない。
【符号の説明】
【００８５】
１０        電子装置
１００      電源部
１０１      筐体
１５０      接続部
１６０      リング
２００      プリンタ部
２１０      プリンタ機構部
２１１      印刷ヘッド
２１２      プラテンローラ
２１３      給紙ローラ
２１４      記録紙ガイド
２１６      制御基板
２１７      ヘッドアップ爪
２２０      ギア部
２３０      モータ
２４１      上蓋
２４２      下蓋
２５０      内蓋
２５１、２６１      給紙口
２５２、２６２      排紙口
２６０      外蓋
２７０      外蓋開閉ノブ
２９０      フック
３００      ノブ
３０１      外側部
３０２      内側部
３０４      押下部
３１０      ケース
３１１      開口部
３２１      第１のスイッチ
３２２      第２のスイッチ
３３０      ＵＳＢコネクタ
３４０      基板
【図１】
2018167521.tif 000006
【図２】
2018167521.tif 000007
【図３】
2018167521.tif 000008
【図４】
2018167521.tif 000009
【図５】
2018167521.tif 000010
【図６】
2018167521.tif 000011
【図７】
2018167521.tif 000012
【図８】
2018167521.tif 000013
【図９】
2018167521.tif 000014
【図１０】
2018167521.tif 000015
【図１１】
2018167521.tif 000016
【図１２】
2018167521.tif 000017
【図１３】
2018167521.tif 000018
【図１４】
2018167521.tif 000019
【図１５】
2018167521.tif 000020
【図１６】
2018167521.tif 000021
【図１７】
2018167521.tif 000022
【図１８】
2018167521.tif 000023
【図１９】
2018167521.tif 000024
【図２０】
2018167521.tif 000025
【図２１】
2018167521.tif 000026
【図２２】
2018167521.tif 000027
【図２３】
2018167521.tif 000028
【図２４】
2018167521.tif 000029
【図２５】
2018167521.tif 000030
【図２６】
2018167521.tif 000031
【図２７】
2018167521.tif 000032
【図２８】
2018167521.tif 000033
【図２９】
2018167521.tif 000034
【図３０】
2018167521.tif 000035
【図３１】
2018167521.tif 000036
【図３２】
2018167521.tif 000037
【図３３】
2018167521.tif 000038
【図３４】
2018167521.tif 000039
【図３５】
2018167521.tif 000040
【図３６】
2018167521.tif 000041
【図３７】
2018167521.tif 000042
【図３８】
2018167521.tif 000043
【図３９】
2018167521.tif 000044
【図４０】
2018167521.tif 000045
【図４１】
2018167521.tif 000046